(57)【要約】【課題】製品コストを低減するとともに装置の小型軽量化、省電力化を可能にし得る回路切換装置およびその制御方法を提供する。【解決手段】回路切換装置２０では、１回路リレーａＡ〜ｂＤを介して２本の計測器母線ａ、ｂを接続可能な４本の接続母線Ａ〜Ｄに、２つの２回路リレー１Ａ２Ｃ、１Ｂ２Ｄを介在させて２本１組の被計測回路接続線ｒ１、ｒ２を接続可能に構成し、当該構成を１組以上の被計測回路接続線ｒ１〜ｒｎを有する被計測回路接続線群δに適用している。これにより、２回路リレー１Ａ２Ｃ、１Ｂ２Ｄをオン状態あるいはオフ状態に制御すると、一時に２回路リレー１Ａ２Ｃ、１Ｂ２Ｄの２回路をオフ状態からオン状態あるいはオン状態からオフ状態に移行させられる。したがって、１回路リレーを２つ用いて切り換えていた場合に比べ、回路リレーの使用数をほぼ半減できるので、回路切換装置２０の製品コストを低減させ、さらに小型軽量化、省電力化を可能にする。【選択図】  図１
2005050570.tif 000002
【特許請求の範囲】
【請求項１】
被計測回路の電気特性を測定する１以上の計測器を接続可能な２本の計測器母線と、
前記計測器母線の一方に接続される４つの第１の１回路リレーと、
前記計測器母線の他方に接続される４つの第２の１回路リレーと、
前記第１の１回路リレーおよび第２の１回路リレーを介し、前記一方の計測器母線および前記他方の計測器母線にそれぞれ接続可能な４本の接続母線と、
前記４本の接続母線のうちの任意の２本のそれぞれに１回路づつ接続される１つ以上の第１の２回路リレーと、
前記４本の接続母線のうちの残りの２本のそれぞれに１回路づつ接続される１つ以上の第２の２回路リレーと、
前記被計測回路に接続可能な２本１組の被計測回路接続線を１組以上有する被計測回路接続線群であって、該被計測回路接続線として、前記第１の２回路リレーの一方の１回路を介し前記任意の２本の接続母線の一方に接続可能かつ前記第２の２回路リレーの一方の１回路を介し前記残りの２本の接続母線の一方に接続可能な一方の被計測回路接続線、および、前記第１の２回路リレーの他方の１回路を介し前記任意の２本の接続母線の他方に接続可能かつ前記第２の２回路リレーの他方の１回路を介し前記残りの２本の接続母線の他方に接続可能な他方の被計測回路接続線を有する被計測回路接続線群と、を備えることを特徴とする回路切換装置。
【請求項２】
前記被計測回路接続線群は、前記被計測回路接続線を５組以上有することを特徴とする請求項１記載の回路切換装置。
【請求項３】
直流定電流を供給する定電流電源を接続可能な２本の電流供給母線と、
前記電流供給母線の一方に１回路接続され前記任意の２本の接続母線のいずれか一方との接続を可能にし、前記電流供給母線の他方にもう１回路接続され前記残りの２本の接続母線の残りの他方に接続可能にする第３の２回路リレーと、
を備えることを特徴とする請求項１または２記載の回路切換装置。
【請求項４】
請求項１または２記載の回路切換装置の制御方法であって、
前記計測器による前記被計測回路の電気特性の測定を開始する場合には、前記被計測回路接続線群のうち、前記第１または第２の２回路リレーのいずれか一方をオフ状態からオン状態に切り換えて任意の１組の前記被計測回路接続線を前記接続母線に接続し、前記第１または第２の他方の２回路リレーをオフ状態からオン状態に切り換えて残りの１組以上の前記被計測回路接続線を前記接続母線に接続し、その後、前記第１の１回路リレーおよび前記第２の１回路リレーをオフ状態からオン状態に切り換えて前記接続母線を前記計測器母線に接続することと、
前記計測器による前記被計測回路の電気特性の測定を終了する場合には、前記第１の１回路リレーおよび前記第２の１回路リレーをオン状態からオフ状態に切り換えて前記接続母線を前記計測器母線から切断した後、前記第１または第２の２回路リレーをオン状態からオフ状態に切り換えることを特徴とする回路切換装置の制御方法。
【請求項５】
請求項３記載の回路切換装置の制御方法であって、
前記計測器による前記被計測回路の電気特性の測定を開始する場合には、前記被計測回路接続線群のうち、前記第１または第２の２回路リレーのいずれか一方をオフ状態からオン状態に切り換えて任意の１組の前記被計測回路接続線を前記接続母線に接続し、前記第１または第２の他方の２回路リレーをオフ状態からオン状態に切り換えて残りの１組以上の前記被計測回路接続線を前記接続母線に接続し、その後、前記第３の２回路リレーをオフ状態からオン状態に切り換えて前記電流供給母線を前記接続母線に接続し、さらにその後に前記第１の１回路リレーおよび前記第２の１回路リレーをオフ状態からオン状態に切り換えて前記接続母線を前記計測器母線に接続することと、
前記計測器による前記被計測回路の電気特性の測定を終了する場合には、前記第１の１回路リレーおよび前記第２の１回路リレーをオン状態からオフ状態に切り換えて前記接続母線を前記計測器母線から切断した後、前記第３の２回路リレーをオン状態からオフ状態に切り換えて前記電流供給母線を前記接続母線から切断し、さらにその後に前記第１の２回路リレーおよび前記第２の２回路リレーをオン状態からオフ状態に切り換えることを特徴とする回路切換装置の制御方法。
【発明の詳細な説明】
【０００１】
【発明の属する技術分野】
本発明は、回路切換装置およびその制御方法に関し、例えば、ワイヤハーネスの断線や短絡あるいは電気特性等を検査する計測器等に好適な回路切換装置およびその制御方法に関するものである。
【０００２】
【従来の技術】
例えば、航空機や自動車等に用いられる電源用、信号用あるいは制御用の電気配線（以下「ワイヤハーネス」という。）は、数十本から数千本あるいは数万本というようにその使用本数が幅広くしかも非常に多い。そのため、かかる多数のワイヤハーネスの断線や短絡あるいは電気特性等を検査する計測器（以下、単に「計測器」という）等に用いられる回路切換装置１００においては、多数の被計測回路の中から任意の回路を選択して計測器Ｔに接続可能に構成しようとすると、例えば、図５に示すように、被計測回路に接続される被計測回路接続線と計測器Ｔに接続される２本の計測器母線との間に各々１つの１回路リレー（リレースイッチ）を介在させることになる。
【０００３】
つまり、このような汎用的な接続機能を実現するには、通常、検査対象となるワイヤハーネスＷＨの本数ｎに計測器Ｔの入力信号線の本数ｍ（通常２本）を乗じた数（ｎ×ｍ）の１回路リレーＲＬをマトリックス状に配置し、ワイヤハーネスＷＨと計測器Ｔとの回路接続を切り換え可能に構成することになる（特許文献１；段落番号０００２〜０００４、図１１、１２を参照）。
【０００４】
【特許文献１】
特開平８−８７９２５号公報（段落番号０００２〜０００５、図１１、１２）
【０００５】
【発明が解決しようとする課題】
しかしながら、このような従来の回路切換装置１００によると、１回路リレーＲＬがワイヤハーネスＷＨの本数ｎに計測器Ｔの入力信号線の本数ｍ（通常２本）を乗じた数分（ｎ×ｍ）、必要となる。そのため、（１）  製品コストの上昇を招く（特許文献１；段落番号０００５を参照）ほか、（２）  １回路リレーＲＬを搭載する基板の面積が拡大化し回路切換装置１００の大型化、重量増大を招くという問題がある。また（３）  １回路リレーＲＬの駆動電力も増加し、回路切換装置１００トータルの消費電力の増大につながる。さらには（４）  １回路リレーＲＬの駆動制御も１回路リレーＲＬの数の増加に伴い複雑化の一途を辿る、等の当該１回路リレーＲＬの使用数の増加が様々な問題の発生原因となっている。
【０００６】
本発明は、上述した課題を解決するためになされたものであり、その目的とするところは、製品コストを低減するとともに装置の小型軽量化、省電力化を可能にし得る回路切換装置およびその制御方法を提供することにある。
また、装置制御を簡素化にし得る回路切換装置およびその制御方法を提供することにある。
【０００７】
【課題を解決するための手段および発明の作用・効果】
上記目的を達成するため、請求項１の回路切換装置では、被計測回路の電気特性を測定する１以上の計測器を接続可能な２本の計測器母線と、前記計測器母線の一方に接続される４つの第１の１回路リレーと、前記計測器母線の他方に接続される４つの第２の１回路リレーと、前記第１の１回路リレーおよび第２の１回路リレーを介し、前記一方の計測器母線および前記他方の計測器母線にそれぞれ接続可能な４本の接続母線と、前記４本の接続母線のうちの任意の２本のそれぞれに１回路づつ接続される１つ以上の第１の２回路リレーと、前記４本の接続母線のうちの残りの２本のそれぞれに１回路づつ接続される１つ以上の第２の２回路リレーと、前記被計測回路に接続可能な２本１組の被計測回路接続線を１組以上有する被計測回路接続線群であって、該被計測回路接続線として、前記第１の２回路リレーの一方の１回路を介し前記任意の２本の接続母線の一方に接続可能かつ前記第２の２回路リレーの一方の１回路を介し前記残りの２本の接続母線の一方に接続可能な一方の被計測回路接続線、および、前記第１の２回路リレーの他方の１回路を介し前記任意の２本の接続母線の他方に接続可能かつ前記第２の２回路リレーの他方の１回路を介し前記残りの２本の接続母線の他方に接続可能な他方の被計測回路接続線を有する被計測回路接続線群と、を備えることを技術的特徴とする。
【０００８】
ここで、「１回路リレー」とは、単一回路の電気的な接続および切断を可能にするスイッチ機能を機械的構成により実現するもののことをいい、例えば電磁ソレノイド式のものがその代表例である。また「２回路リレー」とは、「１回路リレー」の回路数を２にしたもので、独立した２回路の電気的な接続および切断を連動して可能にするもののことをいう。
【０００９】
請求項１の発明では、第１の１回路リレーおよび第２の１回路リレーを介して２本の計測器母線を接続可能な４本の接続母線には、２つの２回路リレー（第１、第２の２回路リレー）を介在させて２本１組の被計測回路接続線を接続可能に構成し、当該構成を、１組以上の被計測回路接続線を有する被計測回路接続線群に適用している。これにより、第１または第２の２回路リレーをオン状態あるいはオフ状態に設定すると、一時に２回路をオフ状態からオン状態あるいはオン状態からオフ状態に移行させることができる。したがって、１回路リレーを２つ用いて切り換えていた場合に比べて、回路リレーの使用数をほぼ半減させることができるので、回路リレーの使用数の削減により、製品コストを低減、装置の小型軽量化および省電力化を可能にすることができる。また、回路リレーの使用数の削減により、回路リレーの駆動制御をも簡素にすることができる。
【００１０】
また、請求項２の回路切換装置では、請求項１において、前記被計測回路接続線群は、前記被計測回路接続線を５組以上有することを技術的特徴とする。
【００１１】
請求項２の発明では、被計測回路接続線群は被計測回路接続線を５組以上有することから、例えば、被計測回路接続線の数をｎ本（ｎ≧５×２＝１０）とすると、８個（＝４＋４）の１回路リレーとｎ個の２回路リレーとを必要とする（８＋ｎ）。これに対し図５に示す従来技術のように構成した場合には、２ｎ個の１回路リレーＲＬを必要とする。そのため、被計測回路接続線が５組のときにはｎ＝１０になるので、本発明の回路切換装置では回路リレーを１８個（＝８＋１０）必要とし、従来の回路切換装置では回路リレーを２０個（＝２×１０）必要とする。これにより、回路リレーの使用数を２個（＝２０−１８）削減することができる。また、被計測回路接続線が例えば５０組のときにはｎ＝１００になるので、本発明の回路切換装置では回路リレーを１０８個（＝８＋１００）必要とし、従来の回路切換装置では回路リレーを２００個（＝２×１００）必要とする。これにより、回路リレー数を９２個（＝２００−１０８；４６％減）、削減することができる。さらに例えば５００組のときにはｎ＝１０００になるので、本発明の回路切換装置では回路リレーを１００８個（＝８＋１０００）必要とし、従来の回路切換装置では回路リレーを２０００個（＝２×１０００）必要とする。これにより、回路リレー数を９９２個（＝２０００−１００８；４９．６％減）、つまりほぼ半減させることができる。さらに５０００組のときにはｎ＝１００００になるので、同様に、回路リレー数を９９９２個（＝２００００−１０００８；４９．９６％減）削減しほぼ半減させることができる。したがって、１回路リレーを２つ用いて切り換えていた場合に比べて、回路リレーの使用数をほぼ半減させることができるので、回路リレーの使用数の削減により、製品コストを低減、装置の小型軽量化および省電力化を可能にすることができる。また、回路リレーの使用数の削減により、回路リレーの駆動制御をも簡素にすることができる。
【００１２】
さらに、請求項３の回路切換装置では、請求項１または２において、直流定電流を供給する定電流電源を接続可能な２本の電流供給母線と、前記電流供給母線の一方に１回路接続され前記任意の２本の接続母線のいずれか一方との接続を可能にし、前記電流供給母線の他方にもう１回路接続され前記残りの２本の接続母線の残りの他方に接続可能にする第３の２回路リレーと、を備えることを技術的特徴とする。
【００１３】
請求項３の発明では、２本の電流供給母線に接続可能な定電流電源から、第３の２回路リレーを介して接続母線に直流定電流を供給する。これにより、被計測回路に定電流を供給することができるので、定電流を供給しながら計測する方式の計測器にも対応することができる。
【００１４】
上記目的を達成するため、請求項４の回路切換装置の制御方法では、請求項１または２記載の回路切換装置の制御方法であって、前記計測器による前記被計測回路の電気特性の測定を開始する場合には、前記被計測回路接続線群のうち、前記第１または第２の２回路リレーのいずれか一方をオフ状態からオン状態に切り換えて任意の１組の前記被計測回路接続線を前記接続母線に接続し、前記第１または第２の他方の２回路リレーをオフ状態からオン状態に切り換えて残りの１組以上の前記被計測回路接続線を前記接続母線に接続し、その後、前記第１の１回路リレーおよび前記第２の１回路リレーをオフ状態からオン状態に切り換えて前記接続母線を前記計測器母線に接続することと、前記計測器による前記被計測回路の電気特性の測定を終了する場合には、前記第１の１回路リレーおよび前記第２の１回路リレーをオン状態からオフ状態に切り換えて前記接続母線を前記計測器母線から切断した後、前記第１または第２の２回路リレーをオン状態からオフ状態に切り換えることを技術的特徴とする。
【００１５】
請求項４の発明では、計測器による被計測回路の電気特性の測定を開始する場合には、被計測回路接続線群のうち、第１または第２の２回路リレーのいずれか一方をオフ状態からオン状態に切り換えて任意の１組の被計測回路接続線を接続母線に接続し、第１または第２の他方の２回路リレーをオフ状態からオン状態に切り換えて残りの１組以上の被計測回路接続線を接続母線に接続し、その後、第１の１回路リレーおよび第２の１回路リレーをオフ状態からオン状態に切り換えて接続母線を計測器母線に接続する。これにより、第１、第２の１回路リレーのオン時には、第１、第２の２回路リレーは既にオン状態に移行しているので、計測器より流れ込む突入電流によって第１、第２の２回路リレーのリレー接点が劣化するのを抑制することができる。また、計測器による被計測回路の電気特性の測定を終了する場合には、第１の１回路リレーおよび第２の１回路リレーをオン状態からオフ状態に切り換えて接続母線を計測器母線から切断した後、第１または第２の２回路リレーをオン状態からオフ状態に切り換える。これにより、第１、第２の１回路リレーのオフ時には、第１、第２の２回路リレーは未だオン状態のままであるから、電流遮断時のスパークの発生等によって第１、第２の２回路リレーのリレー接点が劣化するのを抑制することができる。つまり、計測器から供給される電流の投入／遮断は、使用数の少ない第１、第２の１回路リレーに委ねているので、第１、第２の１回路リレーにリレー接点の劣化が生じても故障した回路リレーの特定が行い易く、しかも交換作業も容易に行うことができる。したがって、保守点検時の作業効率を向上することができる。
【００１６】
また、請求項５の回路切換装置の制御方法では、請求項３記載の回路切換装置の制御方法であって、前記計測器による前記被計測回路の電気特性の測定を開始する場合には、前記被計測回路接続線群のうち、前記第１または第２の２回路リレーのいずれか一方をオフ状態からオン状態に切り換えて任意の１組の前記被計測回路接続線を前記接続母線に接続し、前記第１または第２の他方の２回路リレーをオフ状態からオン状態に切り換えて残りの１組以上の前記被計測回路接続線を前記接続母線に接続し、その後、前記第３の２回路リレーをオフ状態からオン状態に切り換えて前記電流供給母線を前記接続母線に接続し、さらにその後に前記第１の１回路リレーおよび前記第２の１回路リレーをオフ状態からオン状態に切り換えて前記接続母線を前記計測器母線に接続することと、前記計測器による前記被計測回路の電気特性の測定を終了する場合には、前記第１の１回路リレーおよび前記第２の１回路リレーをオン状態からオフ状態に切り換えて前記接続母線を前記計測器母線から切断した後、前記第３の２回路リレーをオン状態からオフ状態に切り換えて前記電流供給母線を前記接続母線から切断し、さらにその後に前記第１の２回路リレーおよび前記第２の２回路リレーをオン状態からオフ状態に切り換えることを技術的特徴とする。
【００１７】
請求項５の発明では、計測器による被計測回路の電気特性の測定を開始する場合には、被計測回路接続線群のうち、第１または第２の２回路リレーのいずれか一方をオフ状態からオン状態に切り換えて任意の１組の被計測回路接続線を接続母線に接続し、第１または第２の他方の２回路リレーをオフ状態からオン状態に切り換えて残りの１組以上の被計測回路接続線を接続母線に接続し、その後、第３の２回路リレーをオフ状態からオン状態に切り換えて電流供給母線を接続母線に接続し、さらにその後に第１の１回路リレーおよび第２の１回路リレーをオフ状態からオン状態に切り換えて接続母線を計測器母線に接続する。これにより、第３の２回路リレーのオン時には、第１、第２の２回路リレーは既にオン状態に移行しているので、定電流電源より流れ込む突入電流によって第１、第２の２回路リレーのリレー接点が劣化するのを抑制することができる。また第１、第２の１回路リレーのオン時には、第３の２回路リレーは既にオン状態に移行しているので、定電流電源より流れ込む突入電流によって計測器にスパイクノイズ等が入力されるのを抑制することができる。
【００１８】
一方、計測器による被計測回路の電気特性の測定を終了する場合には、第１の１回路リレーおよび第２の１回路リレーをオン状態からオフ状態に切り換えて接続母線を計測器母線から切断した後、第３の２回路リレーをオン状態からオフ状態に切り換えて電流供給母線を接続母線から切断し、さらにその後に第１の２回路リレーおよび第２の２回路リレーをオン状態からオフ状態に切り換える。これにより、第１、第２の１回路リレーのオフ時あるいは第３の２回路リレーのオフ時には、第１、第２の２回路リレーは未だオン状態のままであるから、電流遮断時のスパークの発生等によって第１、第２の２回路リレーのリレー接点が劣化するのを抑制することができる。つまり、計測器から供給される電流の投入／遮断は、使用数の少ない第１、第２の１回路リレーあるいは第３の２回路リレーに委ねているので、第１、第２の１回路リレーまたは第３の２回路リレーにリレー接点の劣化が生じても故障した回路リレーの特定が行い易く、しかも交換作業も容易に行うことができる。したがって、保守点検時の作業効率を向上することができる。
【００１９】
【発明の実施の形態】
以下、本発明の回路切換装置およびその制御方法の実施形態について図を参照して説明する。まず、図１に基づいて回路切換装置２０の構成を説明する。
図１に示すように、回路切換装置２０は、被計測回路の導通・絶縁を検査する計測器Ｔと被計測回路に相当し得るワイヤハーネスＷＨ１  〜ＷＨｎ  との間に介在して両者間の電気的な接続関係を回路リレーにより切換制御する装置で、主に、８つの１回路リレーａＡ、ａＢ、ａＣ、ａＤ、ｂＡ、ｂＢ、ｂＣ、ｂＤとマトリックス（格子）状に配置された複数（数十個から数十万個）の２回路リレー１Ａ２Ｃ、１Ｂ２Ｄ、３Ａ４Ｃ、３Ｂ４Ｄ、…、（ｎ−３）Ａ（ｎ−２）Ｃ、（ｎ−３）Ｂ（ｎ−２）Ｄ、（ｎ−１）ＡｎＣ、（ｎ−１）ＢｎＤとからなるリレー回路と、このリレー回路の各回路リレーをオンオフ制御し得るリレー制御部３０と、から構成されている。なお以下、１回路リレーの符号「ａＡ、ａＢ、ａＣ、ａＤ、ｂＡ、ｂＢ、ｂＣ、ｂＤ」を「ａＡ〜ｂＤ」と略記し、また２回路リレーの符号「１Ａ２Ｃ、１Ｂ２Ｄ、３Ａ４Ｃ、３Ｂ４Ｄ、…、（ｎ−３）Ａ（ｎ−２）Ｃ、（ｎ−３）Ｂ（ｎ−２）Ｄ、（ｎ−１）ＡｎＣ、（ｎ−１）ＢｎＤ」を「１Ａ２Ｃ〜（ｎ−１）ＢｎＤ」と略記する。
【００２０】
１回路リレーａＡ〜ｂＤは、１以上の計測器Ｔに接続可能な計測器母線群αと４本の接続母線Ａ、Ｂ、Ｃ、Ｄとの間に接続される１回路の導通／遮断が可能な電磁式リレースイッチである。本実施形態では、計測器母線群αのうちの一方の計測器母線ａに４つの１回路リレーａＡ、ａＢ、ａＣ、ａＤの一端子が、また計測器母線群αのうちの他方の計測器母線ｂに４つの１回路リレーｂＡ、ｂＢ、ｂＣ、ｂＤの一端子が、それぞれ電気的に接続されている。そして、１回路リレーａＡ、ｂＡの他端子が接続母線Ａに、１回路リレーａＢ、ｂＢの他端子が接続母線Ｂに、１回路リレーａＣ、ｂＣの他端子が接続母線Ｃに、１回路リレーａＤ、ｂＤの他端子が接続母線Ｄに、それぞれ接続されている。これにより、１回路リレーａＡ〜ｂＤに励磁電流が供給されると、当該１回路リレーを介して、２本の計測器母線ａ、ｂを４本の接続母線Ａ、Ｂ、Ｃ、Ｄにそれぞれ電気的に接続することができる。なお、これらの計測器母線ａ、ｂは、計測器Ｔの入出力端子（＋）、（−）を接続可能な端子盤２５に、それぞれ電気的に接続されている。
【００２１】
２回路リレー１Ａ２Ｃ〜（ｎ−１）ＢｎＤは、４本の接続母線Ａ、Ｂ、Ｃ、Ｄと、ワイヤハーネスＷＨ１  〜ＷＨｎ  に接続可能な被計測回路接続線群δとの間に接続される２回路の導通／遮断が可能な電磁式リレースイッチである。本実施形態では、２回路リレー１Ａ２Ｃ〜（ｎ−１）ＢｎＤには、４本の接続母線Ａ、Ｂ、Ｃ、Ｄのうちの任意の２本（例えばＡとＣ）のそれぞれに１回路づつ接続されるもの（１Ａ２Ｃ、３Ａ４Ｃ、…、（ｎ−３）Ａ（ｎ−２）Ｃ、（ｎ−１）ＡｎＣ）と、４本の接続母線Ａ、Ｂ、Ｃ、Ｄの残りの２本（例えばＢとＤ）のそれぞれに１回路づつ接続されるもの（１Ｂ２Ｄ、３Ｂ４Ｄ、…、（ｎ−３）Ｂ（ｎ−２）Ｄ、（ｎ−１）ＢｎＤ）がある。
【００２２】
ここで、被計測回路接続線群δとは、被計測回路に相当し得るワイヤハーネスＷＨ１  、ＷＨ２  に接続可能な２本１組の被計測回路接続線ｒ１、ｒ２を１組の被計測回路接続線対γ１２、また被計測回路接続線ｒ３、ｒ４を１組の被計測回路接続線対γ３４というように、被計測回路接続線の本数をｎ本とすると被計測回路接続線対γ１２〜γ（ｎ−１）ｎの被計測回路接続線対を有するものである。なお、被計測回路接続線対γ（ｎ−１）ｎは被計測回路接続線ｒ（ｎ−１）、ｒｎを１組とするものである。
【００２３】
本実施形態では、２回路リレー１Ａ２Ｃ、３Ａ４Ｃ、…、（ｎ−３）Ａ（ｎ−２）Ｃ、（ｎ−１）ＡｎＣは、接続母線Ａ、Ｃと任意の被計測回路接続線対γ１２、γ３４等との間に接続される。例えば、２回路リレー１Ａ２Ｃは、その一方の１回路の一端子が接続母線Ａに電気的に接続され、その他方の１回路の一端子が接続母線Ｃに電気的に接続される。そして、２回路リレー１Ａ２Ｃの一方の１回路の他端子が、被計測回路接続線対γ１２の一方の被計測回路接続線ｒ１に接続され、その他方の１回路の他端子が被計測回路接続線対γ１２の他方の被計測回路接続線ｒ２に接続されている。
【００２４】
即ち、２回路リレー１Ａ２Ｃは、そのうちの一方の１回路が接続母線Ａと被計測回路接続線ｒ１との間の電気的な導通／遮断を可能に接続され、他方の１回路が接続母線Ｃと被計測回路接続線ｒ２との間の電気的な導通／遮断を可能に接続されている。同様に、２回路リレー１Ｂ２Ｄは、そのうちの一方の１回路が接続母線Ｂと被計測回路接続線ｒ１との間に、また他方の１回路が接続母線Ｄと被計測回路接続線ｒ２との間に、それぞれ電気的に接続されている。
【００２５】
また、２回路リレー３Ａ４Ｃも、２回路リレー１Ａ２Ｃと同様に、その１回路づつが被計測回路接続線対γ３４と接続母線Ａ、Ｃとの間にそれぞれ電気的に導通／遮断可能に接続されている。同様に２回路リレー３Ｂ４Ｄが、被計測回路接続線対γ３４と接続母線Ｂ、Ｄとの間にそれぞれ電気的に導通／遮断可能に接続されている。
【００２６】
このように被計測回路接続線の本数をｎ本とすると、最後の被計測回路接続線対γ（ｎ−１）ｎには、接続母線Ａ、Ｃとの間において２回路リレー（ｎ−１）ＡｎＣが、また接続母線Ｂ、Ｄとの間においては２回路リレー（ｎ−１）ＢｎＤが、それぞれ電気的に導通／遮断可能に接続されている。そして、最後の一つ前の被計測回路接続線対γ（ｎ−３）（ｎ−２）には、接続母線Ａ、Ｃとの間において２回路リレー（ｎ−３）Ａ（ｎ−２）Ｃが、また接続母線Ｂ、Ｄとの間においては２回路リレー（ｎ−３）Ｂ（ｎ−２）Ｄが、それぞれ電気的に導通／遮断可能に接続されている。
【００２７】
これにより、２回路リレー１Ａ２Ｃ、３Ａ４Ｃ、…、（ｎ−３）Ａ（ｎ−２）Ｃ、（ｎ−１）ＡｎＣに励磁電流が供給されると、当該２回路リレーを介して、２本の接続母線Ａ、Ｃを被計測回路接続線群δにそれぞれ電気的に接続することができる。また、２回路リレー１Ｂ２Ｄ、３Ｂ４Ｄ、…、（ｎ−３）Ｂ（ｎ−２）Ｄ、（ｎ−１）ＢｎＤに励磁電流が供給されると、当該２回路リレーを介して、２本の接続母線Ｂ、Ｄを被計測回路接続線群δにそれぞれ電気的に接続することができる。なお、この被計測回路接続線群δを構成する被計測回路接続線ｒ１、ｒ２、ｒ３、ｒ４、…、ｒ（ｎ−３）、ｒ（ｎ−２）、ｒ（ｎ−１）、ｒｎは、複数のワイヤハーネスＷＨ１  〜ＷＨｎ  を接続可能な端子盤２７に、それぞれ電気的に接続されている。
【００２８】
リレー制御部３０は、上述した１回路リレーａＡ〜ｂＤおよび２回路リレー１Ａ２Ｃ〜（ｎ−１）ＢｎＤのオンオフを制御する機能を有するもので、図略のマイクロプロセッサ（ＭＰＵ）、メモリ装置（ＲＡＭ、ＲＯＭ）、入出力インタフェイス、リレー駆動回路、入出力装置等により構成されている。１回路リレーａＡ〜ｂＤおよび２回路リレー１Ａ２Ｃ〜（ｎ−１）ＢｎＤの各電磁コイルは、リレー制御部３０のリレー駆動回路にそれぞれ電気的に接続されている。またリレー制御部３０のメモリ装置（ＲＡＭ、ＲＯＭ）には、これら各リレー回路のオンオフ制御を任意に行い得る制御プログラムが格納されている。これにより、次に説明するような各リレー回路のオンオフ制御が可能になる。
【００２９】
次に、回路切換装置２０を構成する各リレー回路のオンオフ制御の例を図２に示す図表に基づいて説明する。
図２に示すように、図１に示すリレー回路の構成例では、各リレー回路のオンオフ制御として、次の９パターンが代表例として挙げられる。なお、この図表には、被計測回路接続線ｒ１、ｒ２、ｒ３、ｒ４、…、ｒ（ｎ−３）、ｒ（ｎ−２）、ｒ（ｎ−１）、ｒｎと一方の計測器母線ａ、ｂとの接続形態（図表左欄）を採るために必要な各リレー回路のオンオフ制御が、作動させる（閉路をつくる）回路リレーとして、被計測回路接続線群δと接続母線群βの間を接続する回路リレー（図表中欄）、接続母線群βと計測器母線群αの間を接続する回路リレー（図表右欄）が例示されている。なお、当該図表中ａ（ｂ）とあるのは計測器母線のａとｂを入替える場合を示し、括弧外同士、括弧内同士がそれぞれ対応する。
【００３０】
まずＮｏ．１の接続形態から説明する。被計測回路接続線群δのある対（例えば被計測回路接続線対γ１２）の奇数番（ｒ１）を計測器母線ａ（またはｂ）に接続し、当該ある対（この例では被計測回路接続線対γ１２）と別の対（例えば被計測回路接続線対γ３４）の奇数番（ｒ３）を計測器母線ａ（またはｂ）に接続して、両ワイヤハーネス（この例ではワイヤハーネスＷＨ１  、ＷＨ３  ）間の導通・絶縁等を検査する場合である。この場合には、当該ある対（この例では被計測回路接続線対γ１２）と接続母線Ａ／Ｃの対との間を接続するリレー（この例では２回路リレー１Ａ２Ｃ）と、接続母線Ａと計測器母線ａ（またはｂ）の間を接続するリレー（この例では１回路リレーａＡ（または１回路リレーｂＡ）と、をそれぞれオン状態に制御するか、または当該ある対（この例では被計測回路接続線対γ１２）と接続母線Ｂ／Ｄの対との間を接続するリレー（この例では２回路リレー１Ｂ２Ｄ）と、接続母線Ｂと計測器母線ａ（またはｂ）の間を接続するリレー（この例では１回路リレーａＢ（または１回路リレーｂＢ）と、をそれぞれオン状態に制御する。そして、当該別の対（この例では被計測回路接続線対γ３４）と接続母線Ｂ／Ｄの対との間を接続するリレー（この例では２回路リレー３Ｂ４Ｄ）と、接続母線Ｂと計測器母線ａ（またはｂ）の間を接続するリレー（この例では１回路リレーａＢ（または１回路リレーｂＢ）と、をそれぞれオン状態に制御するか、または当該別の対（この例では被計測回路接続線対γ３４）と接続母線Ａ／Ｃの対との間を接続するリレー（この例では２回路リレー３Ａ４Ｃ）と、接続母線Ａと計測器母線ａ（またはｂ）の間を接続するリレー（この例では１回路リレーａＡ（または１回路リレーｂＡ）と、をそれぞれオン状態に制御する。なお他の回路リレーはオフ状態に制御されている。
【００３１】
次のＮｏ．２の接続形態は、前記Ｎｏ．１の接続形態において、当該ある対（Ｎｏ．１の例では被計測回路接続線対γ１２）と同一の対（Ｎｏ．１の例では被計測回路接続線対γ１２）または別の対（例えば被計測回路接続線対γ３４）の偶数番（ｒ２、ｒ４）を計測器母線ａ（またはｂ）に接続して、両ワイヤハーネス（この例ではワイヤハーネスＷＨ１  、ＷＨ２  またはＷＨ１  、ＷＨ４  ）間の導通・絶縁等を検査する場合である。例えば、別の対の偶数番を計測器母線ａ（またはｂ）に接続する場合には、当該別の対（この例では被計測回路接続線対γ３４）と接続母線Ｂ／Ｄの対との間を接続するリレー（この例では２回路リレー３Ｂ４Ｄ）と、接続母線Ｄと計測器母線ａ（またはｂ）の間を接続するリレー（この例では１回路リレーａＤ（または１回路リレーｂＤ）と、をそれぞれオン状態に制御するか、または当該別の対（この例では被計測回路接続線対γ３４）と接続母線Ａ／Ｃの対との間を接続するリレー（この例では２回路リレー３Ａ４Ｃ）と、接続母線Ｃと計測器母線ａ（またはｂ）の間を接続するリレー（この例では１回路リレーａＣ（または１回路リレーｂＣ）と、をそれぞれオン状態に制御する。
【００３２】
その次のＮｏ．３の接続形態は、前記Ｎｏ．２の接続形態において、偶数番と奇数番とを入れ替えた場合であるので、各回路リレーのオンオフ制御の詳細説明を省略する。即ち、前記Ｎｏ．１の接続形態において、被計測回路接続線群δのある対（例えば被計測回路接続線対γ１２）の奇数番（ｒ１）を偶数番（ｒ２）として計測器母線ａ（またはｂ）に接続し、当該ある対（この例では被計測回路接続線対γ１２）と同一の対（この例では被計測回路接続線対γ１２）または別の対（例えば被計測回路接続線対γ３４）の偶数番（ｒ２、ｒ４）を奇数番（ｒ１、ｒ３）として計測器母線ａ（またはｂ）に接続して、両ワイヤハーネス（この例ではワイヤハーネスＷＨ２  、ＷＨ１  またはＷＨ２  、ＷＨ３  ）間の導通・絶縁等を検査する場合である。
【００３３】
また、Ｎｏ．４の接続形態は、前記Ｎｏ．１の接続形態において、奇数番を偶数番に入れ替えた場合であるので、各回路リレーのオンオフ制御の詳細説明を省略する。即ち、被計測回路接続線群δのある対（例えば被計測回路接続線対γ１２）の偶数番（ｒ２）を計測器母線ａ（またはｂ）に接続し、当該ある対（この例では被計測回路接続線対γ１２）と別の対（例えば被計測回路接続線対γ３４）の偶数番（ｒ４）を計測器母線ａ（またはｂ）に接続して、両ワイヤハーネス（この例ではワイヤハーネスＷＨ２  、ＷＨ４  ）間の導通・絶縁等を検査する場合である。
【００３４】
このようにＮｏ．１〜Ｎｏ．４の接続形態は、１本のワイヤハーネスＷＨ１  等に対する他の１本のワイヤハーネスＷＨ２  等の導通・絶縁等を検査する場合（１対１）の制御例である。これに対して、以下説明するＮｏ．５〜Ｎｏ．８の接続形態は、１本のワイヤハーネスＷＨ１  等に対する他の複数本のワイヤハーネスＷＨ２  、ＷＨ３  等の導通・絶縁等を検査する場合（１対ｎ）の制御例、さらにＮｏ．９の接続形態は、複数本のワイヤハーネスＷＨ１  、ＷＨ２  等に対する他の複数本のワイヤハーネスＷＨ３  、ＷＨ４  等の導通・絶縁等を検査する場合（ｎ対ｎ）の制御例である。
【００３５】
Ｎｏ．５の接続形態は、前記Ｎｏ．１の接続形態において、当該ある対（Ｎｏ．１の例では被計測回路接続線対γ１２）と同一の対（Ｎｏ．１の例では被計測回路接続線対γ１２）の偶数番（ｒ２）ならびに別の一対または複数対（例えば被計測回路接続線対γ３４）の奇数番・偶数番（ｒ３、ｒ４）を計測器母線ａ（またはｂ）に接続する場合である。例えば、同一の対の偶数番および別の一対の奇数番・偶数番を計測器母線ａ（またはｂ）に接続する場合には、当該同一の対（この例では被計測回路接続線対γ１２）および別の対（この例では被計測回路接続線対γ３４）と接続母線Ｃ、Ｂ、Ｄとの間を接続するリレー（この例では２回路リレー１Ａ２Ｃ、３Ｂ４Ｄ）と、接続母線Ａ／Ｃの対および接続母線Ｂ／Ｄの対と計測器母線ａ（またはｂ）の間を接続するリレー（この例では１回路リレーａＣ、ａＢ、ａＤ（または１回路リレーｂＣ、ｂＢ、ｂＤ）と、をそれぞれオン状態に制御するか、または同一の対（この例では被計測回路接続線対γ１２）および別の対（この例では被計測回路接続線対γ３４）と接続母線Ａ、Ｃ、Ｄとの間を接続するリレー（この例では２回路リレー１Ａ２Ｃ、３Ｂ４Ｄ）と、接続母線Ａ／Ｃの対および接続母線Ｂ／Ｄの対と計測器母線ａ（またはｂ）の間を接続するリレー（この例では１回路リレーａＡ、ａＣ、ａＤ（または１回路リレーｂＡ、ｂＣ、ｂＤ）と、をそれぞれオン状態に制御する。なお、Ｎｏ．６の接続形態は、前記Ｎｏ．２の接続形態において、Ｎｏ．５の接続形態の奇数番を偶数番に入替えた場合であるので、各回路リレーのオンオフ制御の詳細説明を省略する。
【００３６】
Ｎｏ．７の接続形態は、前記Ｎｏ．１の接続形態において、別の一対または複数対（例えば被計測回路接続線対γ３４、…、γ（ｎ−３）（ｎ−２）、γ（ｎ−１）ｎ）の奇数番・偶数番（ｒ３、ｒ４、…、ｒ（ｎ−３）、ｒ（ｎ−２）、ｒ（ｎ−１）、ｒｎ）を計測器母線ａ（またはｂ）に接続する場合である。例えば、複数対の奇数番・偶数番を計測器母線ａ（またはｂ）に接続する場合には、当該複数対（この例では被計測回路接続線対γ３４、…、γ（ｎ−３）（ｎ−２）、γ（ｎ−１）ｎ）と接続母線Ｂ、Ｄとの間を接続するリレー（この例では２回路リレー３Ｂ４Ｄ、（ｎ−３）Ｂ（ｎ−２）Ｄ、（ｎ−１）ＢｎＤ）と、接続母線Ｂ／Ｄの対と計測器母線ａ（またはｂ）の間を接続するリレー（この例では１回路リレーａＢ、ａＤ（または１回路リレーｂＢ、ｂＤ）と、をそれぞれオン状態に制御するか、または当該複数対（この例では被計測回路接続線対γ３４、…、γ（ｎ−３）（ｎ−２）、γ（ｎ−１）ｎ）と接続母線Ａ、Ｃとの間を接続するリレー（この例では２回路リレー３Ａ４Ｃ、（ｎ−３）Ａ（ｎ−２）Ｃ、（ｎ−１）ＡｎＣ）と、接続母線Ａ／Ｃの対と計測器母線ａ（またはｂ）の間を接続するリレー（この例では１回路リレーａＡ、ａＣ（または１回路リレーｂＡ、ｂＣ）と、をそれぞれオン状態に制御する。なお、Ｎｏ．８の接続形態は、前記Ｎｏ．２の接続形態において、Ｎｏ．７の接続形態の奇数番を偶数番に入替えた場合であるので、各回路リレーのオンオフ制御の詳細説明を省略する。
【００３７】
最後のＮｏ．９の接続形態は、被計測回路接続線群δのある一対または複数対（例えば被計測回路接続線対γ１２、γ３４）の奇数番（ｒ１、ｒ３）・偶数番（ｒ２、ｒ４）を計測器母線ａ（またはｂ）に接続し、これと別の一対または複数対（例えば被計測回路接続線対γ（ｎ−３）（ｎ−２）、γ（ｎ−１）ｎ）の奇数番・偶数番（ｒ（ｎ−３）、ｒ（ｎ−２）、ｒ（ｎ−１）、ｒｎ）を計測器母線ａ（またはｂ）に接続してこれらのワイヤハーネス（この例ではワイヤハーネスＷＨ１  〜ＷＨ４  とワイヤハーネスＷＨ（ｎ−３）〜ｎ）間の導通・絶縁等を検査する場合である。この場合には、例えば、当該複数対（この例では被計測回路接続線対γ１２、γ３４）と接続母線Ａ／Ｃの対または接続母線Ｂ／Ｄの対との間を接続するリレー（この例では２回路リレー１Ａ２Ｃ、３Ｂ４Ｄまたは２回路リレー１Ｂ２Ｄ、３Ａ４Ｃ）と、接続母線Ａと計測器母線ａ（またはｂ）の間を接続するリレー（この例では１回路リレーａＡ、ｂＣ、ａＢ、ｂＤ（または１回路リレーｂＡ、ａＣ、ｂＢ、ａＤ）と、をそれぞれオン状態に制御する。そして、当該別の複数対（この例では被計測回路接続線対γ（ｎ−３）（ｎ−２）、γ（ｎ−１）ｎ）と接続母線Ａ／Ｃの対または接続母線Ｂ／Ｄの対との間を接続するリレー（この例では２回路リレー（ｎ−３）Ａ（ｎ−２）Ｃ、（ｎ−３）Ｂ（ｎ−２）Ｄ、（ｎ−１）ＡｎＣ、（ｎ−１）ＢｎＤ）と、接続母線Ａ〜Ｄと計測器母線ａ（またはｂ）の間を接続するリレー（この例では１回路リレーａＢ（または１回路リレーｂＢ）と、をそれぞれオン状態に制御する。但し、この場合、一方において接続母線Ａ／Ｃの対を使用している場合には、他方では接続母線Ｂ／Ｄの対を使用し、両者において、同じ接続母線の対を使用することはできない。
【００３８】
このように、回路切換装置２０のリレー回路では、例えば、２本１組で被計測回路接続線対γ１２を構成する被計測回路接続線ｒ１、ｒ２に対して接続母線Ａ／Ｃの対との間に２回路リレー１Ａ２Ｃが接続されている。そのため、２回路リレーの特性上、両回路がぼほ同時にオンオフされ排他的な状態をとることがないことから、被計測回路接続線ｒ１と接続母線Ａとの間および被計測回路接続線ｒ２と接続母線Ｃとの間のオンオフは両者必ず同じ状態になるという特質が本回路切換装置２０にある。そこで、このような両者が同じ状態になったオン状態またはオフ状態を、計測器母線群αを構成する計測器母線ａ、ｂとの接続関係により選択を可能にするため、接続母線Ａ／Ｃの対に対して４つの１回路リレーａＡ、ｂＡ、ａＣ、ｂＣを設けている。これにより、１回路リレーａＡ、ｂＣがオンのときには、被計測回路接続線ｒ１と計測器母線ａとの接続および被計測回路接続線ｒ２と計測器母線ｂとの接続を可能にし、また１回路リレーｂＡ、ａＣがオンのときには、被計測回路接続線ｒ１と計測器母線ｂとの接続および被計測回路接続線ｒ２と計測器母線ａとの接続を可能にしている。つまり、計測器母線ａ、ｂ間が短絡するような１回路リレーの制御（ａＡとｂＡやａＣとｂＣの同時オン）は行われない。
【００３９】
また、上述したように、１本のワイヤハーネスＷＨ１  等に対する他の１本のワイヤハーネスＷＨ２  等の導通・絶縁等を検査する場合（１対１）には、例えば、２回路リレー１Ａ２Ｃがオン状態にあれば、その２回路リレーが接続された接続母線の対（この例ではＡ／Ｃ対）に接続されている他の２回路リレー（この例では３Ａ４Ｃ、（ｎ−３）Ａ（ｎ−２）Ｃ、（ｎ−１）ＡｎＣ）がオン状態に制御されることはなく、またその２回路リレーが接続された被計測回路接続線対（この例ではγ１２）に接続されている他の２回路リレー（この例では１Ｂ２Ｄ）がオン状態に制御されることはない。
【００４０】
なおここでは、２回路リレー１Ａ２Ｃを例示して説明したが、このような接続および制御の関係は、接続母線Ａ／Ｃに関しては他の２回路リレー３Ａ４Ｃ、（ｎ−３）Ａ（ｎ−２）Ｃ、（ｎ−１）ＡｎＣについても同様で、また接続母線Ｂ／Ｄに関しては２回路リレー１Ｂ２Ｄ、３Ｂ４Ｄ、（ｎ−３）Ｂ（ｎ−２）Ｄ、（ｎ−１）ＢｎＤについても同様である。
【００４１】
以上から、本回路切換装置２０は、１回路リレーａＡ〜ｂＤを介して２本の計測器母線ａ、ｂを接続可能な４本の接続母線Ａ〜Ｄには、２つの２回路リレー１Ａ２Ｃ、１Ｂ２Ｄを介在させて２本１組の被計測回路接続線ｒ１、ｒ２を接続可能に構成し、当該構成を、１組以上の被計測回路接続線ｒ１〜ｒｎを有する被計測回路接続線群δに適用している。これにより、２回路リレー１Ａ２Ｃ、１Ｂ２Ｄをオン状態あるいはオフ状態に制御すると、一時に２回路リレー１Ａ２Ｃ、１Ｂ２Ｄの２回路をオフ状態からオン状態あるいはオン状態からオフ状態に移行させることができる。したがって、１回路リレーを２つ用いて切り換えていた場合に比べて、回路リレーの使用数をほぼ半減させることができるので、回路リレーの使用数の削減により、回路切換装置２０の製品コストを低減させたり、回路切換装置２０の小型軽量化および省電力化を可能にすることができる。また、回路リレーの使用数の削減により、リレー制御部３０による回路リレーの駆動制御をも簡素にすることができる。
【００４２】
特に、被計測回路接続線群δは被計測回路接続線ｒ１、ｒ２、ｒ３、ｒ４、ｒ（ｎ−３）、ｒ（ｎ−２）、ｒ（ｎ−１）、ｒｎを５組以上、例えば数組から数万組、有することから、例えば、被計測回路接続線の数をｎ本（ｎ≧５×２＝１０）とすると、８個（＝４＋４）の１回路リレーａＡ〜ｂＤとｎ個の２回路リレー１Ａ２Ｃ〜（ｎ−１）ＢｎＤとを必要とする（８＋ｎ）。これに対し図５に示す従来技術のように構成した場合には、２ｎ個の１回路リレーＲＬを必要とする。そのため、被計測回路接続線ｒ１等が５組のときにはｎ＝１０になるので、回路切換装置２０では、１回路リレーａＡ〜ｂＤおよび２回路リレー１Ａ２Ｃ等の回路リレーを１８個（＝８＋１０）必要とし、従来の回路切換装置では回路リレーを２０個（＝２×１０）必要とする。これにより、回路リレーの使用数を２個（＝２０−１８）削減することができる。
【００４３】
また、被計測回路接続線ｒ１等が、例えば５０組のときにはｎ＝１００になるので、回路切換装置２０では、１回路リレーａＡ〜ｂＤおよび２回路リレー１Ａ２Ｃ等の回路リレーを１０８個（＝８＋１００）必要とし、従来の回路切換装置では回路リレーを２００個（＝２×１００）必要とする。これにより、回路リレー数を９２個（＝２００−１０８；４６％減）、削減することができる。さらに例えば５００組のときにはｎ＝１０００になるので、回路切換装置２０では、１回路リレーａＡ〜ｂＤおよび２回路リレー１Ａ２Ｃ等の回路リレーを１００８個（＝８＋１０００）必要とし、従来の回路切換装置では回路リレーを２０００個（＝２×１０００）必要とする。これにより、回路リレー数を９９２個（＝２０００−１００８；４９．６％減）、つまりほぼ半減させることができる。さらに例えば５０００組のときにはｎ＝１００００になるので、回路切換装置２０では、１回路リレーａＡ〜ｂＤおよび２回路リレー１Ａ２Ｃ等の回路リレーを１０００８個（＝８＋１００００）必要とし、従来の回路切換装置では回路リレーを２００００個（＝２×１００００）必要とする。これにより、回路リレー数を９９９２個（＝２００００−１０００８；４９．９６％減）削減しほぼ半減させることができる。さらにまた例えば５００００組のときにはｎ＝１０００００になるので、回路切換装置２０では、１回路リレーａＡ〜ｂＤおよび２回路リレー１Ａ２Ｃ等の回路リレーを１００００８個（＝８＋１０００００）必要とし、従来の回路切換装置では回路リレーを２０００００個（＝２×１０００００）必要とする。これにより、回路リレー数を９９９９２個（＝２０００００−１００００８；４９．９９６％減）削減し実質的に半減させることができる。したがって、１回路リレーを２つ用いて切り換えていた場合に比べて、回路リレーの使用数をほぼ半減させることができるので、回路リレーの使用数の削減により、回路切換装置２０の製品コストを低減、回路切換装置２０の小型軽量化および省電力化を可能にすることができる。また、回路リレーの使用数の削減により、リレー制御部３０による回路リレーの駆動制御をも簡素にすることができる。なお、２回路リレーは、電子回路のスイッチ部品として市場流通量が非常に多いため、その部品単価は、１回路リレーの部品単価とほぼ同程度であり、少なくとも、１回路リレーを２個分の合計価格よりも安価に設定されている取引実情が電子部品市場に存在することを付言しておく。
【００４４】
ここで、リレー制御部３０による１回路リレーａＡ〜ｂＤおよび２回路リレー１Ａ２Ｃ〜（ｎ−１）ＢｎＤのオンオフ制御の順番について述べる。
回路切換装置２０のリレー回路を構成する各回路リレーは、上述したような回路を構成しているので、各回路リレーのオンオフ制御として、本実施形態では以下のような駆動制御を行っている。
【００４５】
即ち、計測器ＴによるワイヤハーネスＷＨ１  等の電気特性の測定を開始する場合には、２回路リレー１Ａ２Ｃ〜（ｎ−１）ＢｎＤをオフ状態からオン状態に切り換えた後、１回路リレーａＡ〜ｂＤをオフ状態からオン状態に切り換える。これにより、２回路リレー１Ａ２Ｃ〜（ｎ−１）ＢｎＤにより被計測回路接続線ｒ１〜ｒｎのいずれかが接続母線Ａ〜Ｄに接続された後に１回路リレーａＡ〜ｂＤがオン状態になるので、１回路リレーａＡ〜ｂＤのオン時には、２回路リレー１Ａ２Ｃ〜（ｎ−１）ＢｎＤは既にオン状態に移行している。したがって、１回路リレーａＡ〜ｂＤのオン直後に計測器Ｔより流れ込む突入電流による大電流によって２回路リレー１Ａ２Ｃ〜（ｎ−１）ＢｎＤのリレー接点が劣化するのを抑制することができる。
【００４６】
一方、計測器ＴによるワイヤハーネスＷＨ１  等の電気特性の測定を終了する場合には、１回路リレーａＡ〜ｂＤをオン状態からオフ状態に切り換えた後、２回路リレー１Ａ２Ｃ〜（ｎ−１）ＢｎＤをオン状態からオフ状態に切り換える。これにより、１回路リレーａＡ〜ｂＤにより接続母線Ａ〜Ｄが計測器母線ａ、ｂから切断された後に、２回路リレー１Ａ２Ｃ〜（ｎ−１）ＢｎＤがオフ状態になるので、１回路リレーａＡ〜ｂＤのオフ時には、２回路リレー１Ａ２Ｃ〜（ｎ−１）ＢｎＤは未だオン状態のままであるから、１回路リレーａＡ〜ｂＤのオフ直後に電流遮断時のスパークの発生等によって２回路リレー１Ａ２Ｃ〜（ｎ−１）ＢｎＤのリレー接点が劣化するのを抑制することができる。
【００４７】
このように本実施形態によるリレー制御部３０では、計測器Ｔから供給される電流の投入／遮断は、２回路リレー１Ａ２Ｃ〜（ｎ−１）ＢｎＤの使用数（数十個から数十万個）よりも８個と使用数の少ない１回路リレーａＡ〜ｂＤに委ねるように、各回路リレーのオンオフ制御を行っているので、１回路リレーａＡ〜ｂＤにリレー接点の劣化が生じても故障した回路リレーの特定が行い易く、しかも交換作業も容易に行うことができる。したがって、保守点検時の作業効率を向上することができる。
【００４８】
ここで、回路切換装置２０の改変例を図３に基づいて説明する。図２に示す回路切換装置２０の改変例である回路切換装置５０は、計測器Ｔの仕様上必要となり得る定電流電源ＣＣを接続可能に構成している点が、前述の回路切換装置２０と異なるところである。したがって、他の部分は回路切換装置２０とほぼ同様に構成されるので、実質的に同一の構成部分については図１に示す回路切換装置２０と同一符号を付し説明を省略する。
【００４９】
図２に示すように、回路切換装置５０は計測器母線群αに加えて、端子盤５５に接続された２本の電流供給母線ｃ、ｄを１組とする電流供給母線群εを備えている。また回路切換装置５０は、一方の電流供給母線ｃには接続母線Ａとの接続を可能にする一方のリレー回路が接続され、また他方の電流供給母線ｄには接続母線Ｂとの接続を可能にする他方のリレー回路が接続される、２回路リレーｃＡｄＢを備えている。これにより、当該２回路リレーｃＡｄＢのオンオフ状態をリレー制御部３０により制御することによって、接続母線Ａ、Ｂを介してワイヤハーネスＷＨ１  等に定電流を供給することが可能になるので、当該定電流を利用すれば、例えばワイヤハーネスＷＨ１  の配線抵抗を無視できない場合等の抵抗測定を高精度に行うことができる。
【００５０】
なお、図２に示す回路切換装置５０の各回路リレーのオンオフ制御として、以下のような駆動制御を行うことができる。
【００５１】
即ち、計測器ＴによるワイヤハーネスＷＨ１  等の電気特性の測定を開始する場合には、２回路リレー１Ａ２Ｃ〜（ｎ−１）ＢｎＤをオフ状態からオン状態に切り換えた後、今回追加した２回路リレーｃＡｄＢをオフ状態からオン状態に切り換え、その後、１回路リレーａＡ〜ｂＤをオフ状態からオン状態に切り換える。これにより、当該２回路リレーｃＡｄＢのオン時には、２回路リレー１Ａ２Ｃ〜（ｎ−１）ＢｎＤは既にオン状態に移行しているので、定電流電源ＣＣより流れ込む突入電流によって２回路リレー１Ａ２Ｃ〜（ｎ−１）ＢｎＤのリレー接点が劣化するのを抑制することができる。また１回路リレーａＡ〜ｂＤのオン時には、当該２回路リレーｃＡｄＢは既にオン状態に移行しているので、定電流電源ＣＣより流れ込む突入電流によって計測器Ｔにスパイクノイズ等が入力されるのを抑制することができる。
【００５２】
一方、計測器ＴによるワイヤハーネスＷＨ１  等の電気特性の測定を終了する場合には、１回路リレーａＡ〜ｂＤをオン状態からオフ状態に切り換えた後、今回追加した２回路リレーｃＡｄＢをオン状態からオフ状態に切り換え、その後、２回路リレー１Ａ２Ｃ〜（ｎ−１）ＢｎＤをオン状態からオフ状態に切り換える。これにより、１回路リレーａＡ〜ｂＤのオフ時あるいは当該２回路リレーｃＡｄＢのオフ時には、２回路リレー１Ａ２Ｃ〜（ｎ−１）ＢｎＤは未だオン状態のままであるから、電流遮断時のスパークの発生等によって２回路リレー１Ａ２Ｃ〜（ｎ−１）ＢｎＤのリレー接点が劣化するのを抑制することができる。つまり、計測器Ｔから供給される電流の投入／遮断は、２回路リレー１Ａ２Ｃ〜（ｎ−１）ＢｎＤの使用数（数十個から数十万個）よりも８個と使用数の少ない１回路リレーａＡ〜ｂＤあるいは当該２回路リレーｃＡｄＢに委ねているので、１回路リレーａＡ〜ｂＤまたは当該２回路リレーｃＡｄＢにリレー接点の劣化が生じても故障した回路リレーの特定が行い易く、しかも交換作業も容易に行うことができる。したがって、保守点検時の作業効率を向上することができる。
【００５３】
次に、上述した回路切換装置２０、５０を、航空機９０にアッセンブリされたワイヤハーネスＷＨ１  〜ＷＨｎ  の検査に適用した例を図４を参照して説明する。
図４に示すように、回路切換装置２０、５０は、１回路リレーａＡ〜ｂＤを構成する第１のリレー回路部分と、２回路リレー１Ａ２Ｃ〜（ｎ−１）ＢｎＤを構成する第２のリレー回路部分とを分離して、また２回路リレー１Ａ２Ｃ〜（ｎ−１）ＢｎＤを構成するリレー回路部分をさらに複数に分割して、それぞれを別個の筐体に収容して構成することもできる。
【００５４】
例えば、１回路リレーａＡ〜ｂＤを構成するリレー回路部分とリレー制御部３０とをメインユニット２０ａとし、また２回路リレー１Ａ２Ｃ〜（ｎ−１）ＢｎＤの一部を構成するリレー回路部分をサブユニット２０ｂとし、さらに回路リレー１Ａ２Ｃ〜（ｎ−１）ＢｎＤの残部を構成するリレー回路部分をサブユニット２０ｃとして、これらの各ユニット間を、４本の接続母線Ａ、Ｂ、Ｃ、Ｄからなる接続母線群βによって接続母線コネクタ２９ａ、２９ｂ、２９ｃで接続するように構成する。そして、図１および図２に示される端子盤２７を、２つの端子盤２７ａ、２７ｂに分割して、それぞれをサブユニット２０ｂ、２０ｃに設けることによって、例えば、ワイヤハーネスＷＨ１  〜ＷＨ（ｋ−１）  までをサブユニット２０ｂ内のリレー回路による検査対象に、またワイヤハーネスＷＨｋ  〜ＷＨｎ  までをサブユニット２０ｃ内のリレー回路による検査対象に、それぞれ割り当てる。
【００５５】
これにより、検査対象となる航空機９０内のワイヤハーネスＷＨ１  〜ＷＨｎ  と回路切換装置２０との距離が離れていても、このように回路切換装置２０をリレー回路ごとに各サブユニット２０ｂ、２０ｃに分割しそれぞれのサブユニット間を接続母線群β（接続母線Ａ〜Ｄ）で接続するように構成すれば、引き回されるケーブル（図４に示すβ）の結線数をワイヤハーネスＷＨ１  〜ＷＨｎ  の本数を、例えば数十万本から４本へと、大幅に削減することができる。したがって、回路切換装置２０から航空機９０内のワイヤハーネスＷＨ１  〜ＷＨｎ  までの接続に要するケーブル構成を簡素にできるばかりか、ケーブル布線作業時の接続誤りを防止でき、また結線・結束作業を容易することも可能となる。
【図面の簡単な説明】
【図１】本発明の一実施形態に係る回路切換装置の構成を示す説明図である。
【図２】本回路切換装置を構成する被計測回路接続線群と計測器母線群との接続形態を例示する図表である。
【図３】本実施形態に係る回路切換装置の改変例を示す説明図である。
【図４】本実施形態に係る回路切換装置を航空機のワイヤハーネス検査に適用した例を示す説明図である。
【図５】従来の回路切換装置の構成例を示す説明図である。
【符号の説明】
２０、５０                  回路切換装置
２０ａ                      メインユニット（回路切換装置）
２０ｂ、２０ｃ              サブユニット（回路切換装置）
２５、２７、２７ａ、２７ｂ  端子盤
５５                        端子盤
２９ａ、２９ｂ、２９ｃ      接続母線コネクタ
３０                        リレー制御部
９０                        航空機
α                          計測器母線群（計測器母線）
β                          接続母線群
γ１２、γ３４、γ（ｔ−３）（ｔ−２）、γ（ｔ−１）ｔ  被計測回路接続線対（２本１組の被計測回路接続線）
ｒ１、ｒ３、ｒ（ｎ−３）、ｒ（ｎ−１）      被計測回路接続線（一方の被計測回路接続線）
ｒ２、ｒ４、ｒ（ｎ−２）、ｒｎ          被計測回路接続線（他方の被計測回路接続線）
δ                          被計測回路接続線群
ε                          電流供給母線群
ａ                          一方の計測器母線（計測器母線の一方）
ｂ                          他方の計測器母線（計測器母線の他方）
ｃ、ｄ                      電流供給母線
Ａ                          接続母線（任意の２本の一方）
Ｂ                          接続母線（残りの２本の一方）
Ｃ                          接続母線（任意の２本の他方）
Ｄ                          接続母線（残りの２本の他方）
ａＡ、ａＢ、ａＣ、ａＤ              １回路リレー（第１の１回路リレー）
ｂＡ、ｂＢ、ｂＣ、ｂＤ              １回路リレー（第２の１回路リレー）
１Ａ２Ｃ、３Ａ４Ｃ、（ｎ−３）Ａ（ｎ−２）Ｃ、（ｎ−１）ＡｎＣ  ２回路リレー（第１の２回路リレー）
１Ｂ２Ｄ、３Ｂ４Ｄ、（ｎ−３）Ｂ（ｎ−２）Ｄ、（ｎ−１）ＢｎＤ  ２回路リレー（第２の２回路リレー）
ｃＡｄＢ                        ２回路リレー（第３の２回路リレー）
Ｔ                          計測器
ＣＣ                        定電流電源
ＷＨ、ＷＨ１  〜ＷＨｎ                ワイヤハーネス（被計測回路）
【図１】
2005050570.tif 000003
【図２】
2005050570.tif 000004
【図３】
2005050570.tif 000005
【図４】
2005050570.tif 000006
【図５】
2005050570.tif 000007